【事件の表示】
　特願２０１２−５１７６１０「処理方法、コンピュータプログラム及びモバイルメディアデバイス」拒絶査定不服審判事件〔平成２３年１月１３日国際公開、ＷＯ２０１１／００５４５８、平成２４年１２月１０日国内公表、特表２０１２−５３１６２８〕について、次のとおり審決する。
【結　論】
　本件審判の請求は、成り立たない。
【理　由】
第１　手続の経緯
　本願は、２０１０年（平成２２年）６月１８日（パリ条約による優先権主張外国庁受理２００９年６月２４日、アメリカ合衆国）を国際出願日とする出願であって、平成２５年６月５日付けで手続補正がなされ、平成２６年１月９日付けで拒絶理由が通知され、同年４月１８日付けで手続補正がなされ、同年１１月２８日付けで拒絶理由が通知され、平成２７年２月２７日付けで手続補正がなされたが、平成２７年８月２７日付けで拒絶査定がなされ、これに対して、同年１２月１７日付けで拒絶査定不服の審判が請求され、同時に手続補正がなされた。
　その後、当審において平成２８年８月２４日付けで拒絶理由が通知され、これに対して同年１１月２５日付けで手続補正がなされたものである。
第２　本願発明
　本願の請求項１ないし１７に係る発明は、平成２８年１１月２５日付けの手続補正により補正された特許請求の範囲の請求項１ないし１７に記載された事項により特定されるものであるところ、請求項１に係る発明（以下、「本願発明」という。）は次のとおりのものである。 
  
「【請求項１】
　モバイルメディアデバイスが実行する処理方法であって、
　複数の放送チャンネルを経由して受信した複数のオーディオコンテンツをユーザーに出力し、該ユーザーに出力された複数のオーディオコンテンツに関連する表示可能なメタデータを記憶するステップと、
　前記受信した複数のオーディオコンテンツのうち以前にユーザーに出力されたオーディオコンテンツを説明するメタデータと該オーディオコンテンツが送信された放送チャンネルとをともに表示するユーザーインターフェースを、カーソルを移動させることが可能な１つの領域の中で、前記モバイルメディアデバイスの表示デバイスにより放送チャンネル毎にグループ化して表示するステップと、
　特定の前記オーディオコンテンツを説明するメタデータを、前記１つの領域の中で前記カーソルを用いて選択し、ネットワーク接続を経由して前記特定のオーディオコンテンツを購入するための処理を開始するステップと
　を有する処理方法。」
第３　引用発明
１．引用文献１
　当審の拒絶理由に引用された特開２００１−２９８４３０号公報（以下、「引用文献１」という。）には、図面とともに以下の記載がある。（なお、下線は当審で付与した。）
（１）「【０００２】
【従来の技術】図２に、
FM文字多重放送を受信する従来のFM文字多重放送受信機
【０００３】
FM文字多重放送受信機１００の使用者は、それぞれのキーを操作することによって交通情報や天気情報、番組情報等の所望の情報を選局・決定を行うことによりその情報を音声で得ることができるのに加えて、文字表示部１０２に表示される文字情報を得ることができる。
音楽番組が選局された場合には、番組中で放送されている楽曲名の文字情報が提供されていることがあり、ユーザーはその楽曲に関する情報を得ることができる。
FM文字多重放送装置が送信するFM信号は、文字情報等の文字多重信号の符号化の階層構造として、図３Aに示すようなセグメント階層を持っている。そして、セグメントデータ６２には、データの内容である交通情報や天気情報、番組情報、楽曲名等が含まれており
【０００４】また、そのような
FM放送等のメディアを通じて音楽を聴いたユーザーがその音楽を再現するためのデータを購入したいと希望した場合に、その購入手段の新しい選択肢の一つとして、インターネット等を利用して音楽データの配信を受けるという音楽配信システムがある。
【０００５】
【発明が解決しようとする課題】ここで、
従来のFM文字多重放送受信機１００によってFM文字多重放送による音楽番組を聴いたユーザーがその聴いている楽曲の購入を希望する場合には、文字表示部１０２に表示される楽曲名の情報等を一旦記憶しなければならないという手間が必要である。
【０００６】つまり、
FM文字多重放送における楽曲名の情報は、CD等の購入や音楽配信システムを利用して音楽データの配信を受ける際の判断材料として利用することができるが、実際の購入段階と直接結びつくものではなく、その情報の記憶をもとにして、ユーザー側で所望のCDを探したり、インターネット上で音楽データの配信元の検索を行ったり、音楽雑誌等の他のメディアを参照する等といった手間が必要である。
【０００７】特に、
音楽配信システムの利用にあっては、ブラウザ等を用いて所望のデータを検索する必要があるから、熟練度の低いユーザーでは目的の音楽データの配信元にたどり着くまでに検索を何度も繰り返すことになり、購入段階に至るまでの手間がより大きな負担となる。
【０００８】
この発明は、上記のような問題に鑑みて、文字多重放送を利用するユーザーが、音楽配信システムを介して所望の音楽データを迅速に取得することができる通信端末と、その放送を行う送信装置とを提供することを目的とする。
（２）「【００１２】（２）この発明の受信蓄積装置は、放送信号を受信する受信部と、受信部によって受信された放送信号から音声信号を復調する音声信号復調部と、音声信号復調部によって復調された音声信号を出力する音声出力部と、受信部によって受信された放送信号から文字信号を復調する文字信号復調部と、文字信号復調部によって復調された文字信号を出力する表示部と、ネットワークに接続するための接続手段と、ネットワークを介してデータを取得するための取得手段と、取得手段によって取得されたデータを蓄積する蓄積部と、を備えており、前記文字信号復調部は、ネットワークにおける音楽データの配信元の接続先を示す接続先情報が文字信号中に含まれているか否かを判断する接続先情報有無判断手段と、接続先情報有無判断手段が文字信号中に接続先情報が含まれていると判断した場合には
接続先情報および音楽データを示す音楽データ指示情報とを蓄積部に蓄積する接続先情報蓄積手段と、蓄積部に蓄積された接続先情報および音楽データ指示情報のうち少なくとも楽曲名の一覧を表示部に表示する蓄積音楽データ指示情報表示手段と、前記一覧から使用者によって選択された楽曲名に対応する接続先情報を接続手段に送って前記音楽データの配信元に接続させ前記楽曲名に対応する音楽データを取得手段によって取得して蓄積部に蓄積する取得制御手段と、を備えた
【００１３】これにより、
使用者が音楽を聴いた後や直接聴いていなかった場合であっても、取得を希望する楽曲名を選択することによって音楽データを迅速に取得できる。
（３）「【００１７】
【発明の実施の形態】（１）本発明の一実施形態によるシステムコンポと、そのコンポに含まれるチューナーおよび通信機能付きHDDレコーダの構成
本発明に係る受信蓄積装置の実施形態を図面に基づいて説明する。図１Aに、
この発明の一実施形態による、受信蓄積装置としてのチューナーおよび通信機能付きHDDレコーダ（ハードディスクレコーダ）を備えたシステムコンポ
（４）「【００１８】
チューナー１０は、FM文字多重放送装置８からのFM文字多重放送を受信可能であり、ユーザーは、スピーカー１４を介してその放送内容（音声）を聴くことができる。
【００１９】また、チューナー１０におけるFM文字多重信号の復調にかかわる部分および通信機能付きHDDレコーダ１２のブロック図を図１Bに示す。
チューナー１０の構成は従来のFM文字多重放送受信機とほぼ同様であり
（５）「【００２１】従来の
FM文字多重放送の音楽番組等のセグメントデータ６２には、データの内容である楽曲名や歌手名が含まれており
【００２２】本発明の実施形態においては、
そのセグメントヘッダ６０の未定義の領域に、インターネットによる音楽データの配信を行っている音楽データ配信元のURLと、配信を行っているか否か、配信に要する時間、配信費用等の、音楽配信に関する情報の情報領域を作成し、セグメントデータ６２としてそれらのデータを入れる。
（６）「【００２５】したがって、以上のステップにより、
音楽番組のFM信号を受信したチューナー１０は、その音楽信号に対応する楽曲の、音楽データの配信を行っている音楽データ配信元のURLと、配信を行っているか否か、配信に要する時間、配信費用等の、音楽配信に関する情報を得ることになる。
（７）「【００２７】（３）FM文字多重放送により受信した情報に基づいて音楽データの配信を受ける場合の処理
図４に、上記で説明したシステムコンポが、FM文字多重放送装置８のFM信号を受信した情報に基づいて音楽データの配信を受ける場合の処理を示す。
【００２８】FM文字多重放送装置８は、FM文字多重放送により音楽番組を放送する（ステップＳ１）。これを受信するチューナー１０は（ステップＳ２）、その放送される楽曲に対応する音楽配信データの復調を図３Bで説明したステップによって行う（ステップＳ３）。そして、
配信データを復調するごとにCPU３６の制御によって音楽配信に関する情報を表示・操作部３２に表示するとともに、そのデータをインターフェース４０を介して通信機能付きHDDレコーダ１２に送信する（ステップＳ４）
この配信データをインターフェース４８により受信した通信機能付きHDDレコーダ１２は、記憶装置４４にそのデータを記録して蓄積する（ステップＳ５）。
（８）「【００２９】
システムコンポのユーザーは、放送された楽曲の購入を希望する場合には、図５に示すようなチューナー１０の表示・操作部３２のディスプレイを参照することによりその楽曲の配信情報を確認した後、購入希望の楽曲の選択の操作を行う（ステップＳ６）。
（９）「【００３０】次に、
ユーザーから購入希望の操作を受けた通信機能付きHDDレコーダ１２は、CPU４６の制御によってネットワーク接続ソフトウェア４２を起動し、ネットワークインターフェース５０を介することによって、配信データに含まれている、音楽データ配信元ダウンロードサーバ６のURLに対して接続するとともに、音楽データのダウンロードを要求するためのダウンロード情報の送信を行う（ステップＳ７）。
【００３１】
ダウンロード情報の送信を受けたダウンロードサーバ６は、インターネット２０を介することによって、選択された音楽データの配信を通信機能付きHDDレコーダ１２に対して行う（ステップＳ８）。
通信機能付きHDDレコーダ１２が、その音楽データを記憶装置４４に記憶することによってダウンロードが完了する（ステップＳ９）。ダウンロードが完了すると、音楽データの購入についての課金処理等が行われることになる。
（１０）「【００３４】（４）本実施形態における効果
以上のようなチューナー１０と通信機能付きHDDレコーダ１２を構成することにより、ユーザーが楽曲を聴いてその音楽データの購入を希望した場合には、その音楽データを迅速かつ確実に購入できる。したがって、
楽曲を聴いてから購入段階に至るまでにその楽曲名等を記憶したり、音楽データを別にネットワーク上で検索等を行うという負担がかからない。
【００３５】また、音楽データの購入に際しては、表示・操作部３２に表示された情報に基づいて購入の要否を選択するという簡単な操作入力をするだけであり、その楽曲名をキーボードで入力等することを要しない。したがって、チューナー１０や通信機能付きHDDレコーダ１２に複雑な操作・入力部が備えられている必要はないので、装置としてはシンプルな構成を採用することができる。
【００３６】そして、そのようなユーザーの負担が軽減されることから、文字多重放送の受信や音楽データの購入を積極的に行うユーザーの数が増加することにつながり、結果として、FM文字多重放送の放送や音楽データの配信を行う側の事業を活性化するという効果をもたらす可能性がある。」
（１１）「【００４２】また、
本実施形態においては、受信蓄積装置としてチューナー１０と通信機能付きHDDレコーダ１２を示したが、これに限定されるものではない。
　また、引用文献１には、図５として次の図面が記載されている。
ア．上記（１）によれば、従来のFM文字多重放送受信機では、ユーザーが聴いている楽曲の購入を希望する場合には、楽曲名の情報等をユーザーが一旦記憶しなければならないという手間が必要であるという問題や、音楽配信システムを利用してその楽曲の音楽データを購入する際には、上記情報の上記記憶をもとにして配信元の検索を行う手間が必要であるという問題があることが記載されており、さらに、それらの問題を解決し、所望の音楽データを迅速に取得することができるようにすることを目的とすることが記載されている。
イ．上記（３）によれば、受信蓄積装置の一実施形態として、チューナー１０および通信機能付きHDDレコーダ１２を備えたシステムコンポが記載されている。
ウ．上記（４）によれば、チューナー１０はFM文字多重放送を受信可能であり、ユーザーは、スピーカー１４を介してその放送内容を聴くことができる。そして、上記（１）によれば、音楽番組が放送されている場合は、楽曲をユーザーが聴くことができる、すなわち、受信した楽曲がユーザーに出力される。
エ．上記（４）によれば、チューナー１０の構成は従来のFM文字多重放送受信機とほぼ同様であるが、上記（１）の【０００３】には、従来のFM文字多重放送受信機において、「選局」を行うことが記載されている。そして、FM放送が複数の放送チャンネルで行われており、チューナーで「選局」を行うことによって特定の放送チャネルの放送を受信することは技術常識であるから、チューナー１０も、複数の放送チャネルに対して選局を行うことによって特定の放送チャンネルの放送を受信するものであることは、当業者にとって自明のことである。また、音楽番組が複数の放送チャンネルで放送されることも一般的によく知られたことである。
オ．上記（１）（特に【０００３】）及び（５）によれば、FM文字多重放送の音楽番組のセグメントデータ６２には、番組中で放送されている楽曲名と音楽配信に関する情報が含まれている。そして、音楽配信に関する情報として、インターネットによる音楽データの配信を行っている音楽データ配信元のURLと、配信を行っているか否か、配信に要する時間、配信費用等が挙げられている。
カ．上記（６）及び（７）によれば、音楽番組を受信したチューナー１０は、放送される楽曲の音楽配信に関する情報を得て、表示・操作部３２に表示するとともに、そのデータをインターフェース４０を介して通信機能付きHDDレコーダ１２に送信し、このデータを受信した通信機能付きHDDレコーダ１２は、記憶装置４４にそのデータを記録して蓄積する。
　ここで、上記音楽配信に関する情報とともに音楽番組のセグメントデータ６２に含まれる「楽曲名」については、チューナー１０から通信機能付きHDDレコーダ１２に送信し、記憶装置４４に記録して蓄積することは明記されていないが、楽曲購入のためのディスプレイである図５には「曲名」の欄に「“ABC”」や「“DEFG”」という楽曲名が表示されていることからみて、音楽配信に関する情報だけでなく、楽曲名もチューナー１０から通信機能付きHDDレコーダ１２に送信され、記憶装置４４に記録して蓄積されていることは明らかである。
キ．上記（８）によれば、ユーザーは、放送された楽曲の購入を希望する場合には、図５に示すようなチューナー１０の表示・操作部３２のディスプレイを参照することによりその楽曲の配信情報を確認した後、購入希望の楽曲の選択の操作を行う。ここで、図５を参照すると、「“ABC”」や「“DEFG”」という楽曲名の一覧や、「URL」や「料金」のような音楽配信に関する情報が単一のディスプレイ内に表示されている。
　また、上記（２）に「蓄積部に蓄積された接続先情報および音楽データ指示情報のうち少なくとも楽曲名の一覧を表示部に表示する蓄積音楽データ指示情報表示手段」とあるように、上記ディスプレイ中の楽曲名や音楽配信に関する情報は上記カで説示した記憶装置４４に蓄積されたものである。したがって、図５に示される上記ディスプレイ中の楽曲名や音楽配信に関する情報は、チューナー１０で受信され、ユーザーに出力された楽曲についてのものである。
　さらに、ユーザーは、図５のディスプレイを参照して購入希望の楽曲の選択の操作を行うが、図５において、「選択」という表示の下にある黒色に塗り潰された三角形と、「ＹＥＳ」という表示の上にある黒色に塗り潰された三角形は、いずれも「カーソル」であるとともに、「選択」という表示の下にあるカーソルは上下に、「ＹＥＳ」という表示の上にあるカーソルは左右に移動可能であることは当業者にとって自明である。したがって、上記ディスプレイ内はカーソルを移動させることが可能であり、購入希望の楽曲の選択の操作には、当該移動可能なカーソルが用いられる。
ク．上記（９）によれば、ユーザーから購入希望の操作を受けた通信機能付きHDDレコーダ１２は、配信データに含まれている、音楽データ配信元ダウンロードサーバ６のURLに対して接続するとともに、音楽データのダウンロードを要求するためのダウンロード情報の送信を行う。そして、ダウンロード情報の送信を受けたダウンロードサーバ６は、インターネット２０を介することによって、選択された音楽データの配信を通信機能付きHDDレコーダ１２に対して行い、通信機能付きHDDレコーダ１２が、その音楽データを記憶装置４４に記憶することによってダウンロードが完了し、音楽データの購入についての課金処理等が行われる。
　したがって、ユーザーが図５のディスプレイを参照して購入希望の楽曲の選択の操作を行うと、通信機能付きHDDレコーダ１２は、音楽データ配信元ダウンロードサーバ６のURLに対して接続するとともに、音楽データのダウンロードを要求するためのダウンロード情報の送信を行う。
ケ．上記（１０）によれば、上記ウないしクのように構成され動作するシステムコンポは、楽曲を聴いてから購入段階に至るまでに、その楽曲名等を記憶したり、音楽データを別にネットワーク上で検索等を行うという負担がかからないという効果を奏する。
コ．上記（１１）によれば、受信蓄積装置は、チューナー１０と通信機能付きHDDレコーダ１２を備えたシステムコンポに限定されるものではない。
　したがって、上記（１）ないし（１１）の記載事項及び図面並びに上記アないしコを総合勘案すると、引用文献１には、次の発明（以下、「引用発明１」という。）が記載されている。 
「チューナー１０および通信機能付きHDDレコーダ１２を備えたシステムコンポが実行する処理方法であって、
　複数の放送チャンネルを経由して受信した複数の楽曲をユーザーに出力し、該ユーザーに出力された複数の楽曲の楽曲名及び音楽配信に関する情報を記憶するステップと、
　前記受信した複数の楽曲のうち以前にユーザーに出力された楽曲の楽曲名の一覧を表示するとともに、カーソルを移動させることが可能なディスプレイを、前記チューナー１０の表示・操作部３２により表示するステップと、
　特定の前記楽曲の楽曲名を、前記ディスプレイの中で前記カーソルを用いて選択し、前記特定の楽曲の音楽データ配信元ダウンロードサーバ６のURLに対して接続するとともに、前記特定の楽曲の音楽データのダウンロードを要求するためのダウンロード情報の送信を行うステップと
を有する処理方法。」
２．引用文献２
　当審の拒絶理由に引用された国際公開第２００６／０６７８７１号（以下、「引用文献２」という。）には、図面とともに以下の記載がある。（なお、下線は当審で付与した。）
（１）「[0061]　図2において、本発明に係る
放送受信装置は
操作の補助のための案内、受信情報／受信データ等をユーザに報知するための液晶パネル等を利用した表示部2
が備えられている。
（２）「[0063]　操作部4には、録音（コンテンツ、即ち楽曲データの記録)をユーザが指示するための「REC」ボタン43、録音又は再生の停止をユーザが指示するための「STOP」ボタン44、表示部2上でカーソル2Cを上下左右方向に移動させるための十字キー41、「決定」であることをユーザが指示することによりカーソル2Cで指定した動作を実行させるための「SET」ボタン42等が備えられている。なお、
図2には表示部2にメニュー画面が表示されている状態が示されている。このメニュー画面では詳細は後述するが、「放送受信」、「放送局サーチ」、「再生リスト」、「ダウンロード」が選択可能である。
[0064]　なお、以下の本発明に係る放送受信装置に関する説明においては、
放送コンテンツとは放送を受信することにより得られるコンテンツ（楽曲データ）のことである。また、コンテンツ情報とはたとえば文字多重信号 (文字多重データ）により得られる楽曲データに付属する種々の情報 (たとえば、その楽曲のジャンル，曲名，演奏者，作者等と、そのコンテンツを受信した放送局に関する情報等）である。
（３）「[0084]　受信中の放送が文字多重放送でない場合（ステップS35でNO)、MPU13は選択された放送局 (受信中の放送局）の付随情報を放送局情報テーブル12から読み出して表示制御部18の制御により表示部2に表示させる (ステップS36)。一方、
受信中の放送が文字多重放送である場合 (ステップS35でYES)、MPU13は受信中の放送を文字多重信号復調部11に復調させることにより、受信中の放送局の付随情報及び受信中のコンテンツのコンテンツ情報（曲名等）を文字情報化し、表示制御部18の制御により図7の模式図に示すように表示部2に表示させる（ステップS37)。
（４）「[0099](再生モードの処理手順）
　次に、上述のようにしてHD15Hに記録された各音楽データの再生の際の処理手順（再生モード）について説明する。
ユーザが図2の表示部2に表示されているメニュー画面の「再生リスト」を十字キー41の操作で選択して「SET」ボタン42で指定すると、HD15Hに記録されている楽曲データそれぞれのコンテンツ情報が表示部2に一覧表示される。但し、上述のようにユーザが表示部2に表示されている「再生リスト」を指定した場合、後述するように表示部2には「放送局別再生リスト」、「ダウンロード再生リスト」、「ジャンル別再生リスト（放送局 +ダウンロード）」が表示されるので、ユーザが更にそれらの内のいずれかを上述同様にして選択して指定する。
[0100]　以下、図11のMPU13による「再生モード」の際の処理手順を示すフローチャートを参照して説明する。メニュー画面を表示している状態でMPU13はユーザによる操作入力の有無を監視しており（ステップS71でNO）、
操作入力があると（ステップS71でYES)、「再生リスト」の指示であるか否かを判断する（ステップS72)。
[0101]　
入力された指示が「再生リスト」の指示であった場合(ステップS72でYES)、上述したようにMPU13は「放送局別再生リスト」、「ダウンロード再生リスト」、「ジャンル別再生リスト（放送局＋ダウンロード）」の表示を図12(a)の模式図に示すように表示部2に行ない、上述同様にしてユーザの選択指示を受け付ける。
[0102]　
ユーザがたとえば「放送局別再生リスト」を指示した場合、MPU13はHD15Hに記録されている全ての音楽データの内から、放送局の放送を受信して記録した楽曲データのコンテンツ情報を表示部2に一覧表示する（ステップS74)。図12(b)はその際の表示部2の表示状態を示す模式図である。この例では、放送局別のそれぞれの放送局の放送を受信してHD15Hに記録されている楽曲データのコンテンツ情報（図示例では曲名のみ）がグループ化されて表示される。
　（中略）
[0103]　なお
図12(b)に示されている例では、個々の楽曲が記録された際に放送を受信した放送局名と、コンテンツ情報としての曲名とがそれぞれ表示されている。
（５）「[0111]　更に
本発明に係る放送受信装置によれば、
それぞれのソース別に表示させたり、
することができるので使い勝手が向上する。
ア．上記（１）によれば、放送受信装置は表示部2を備えている。
イ．上記（２）及び（３）によれば、放送受信装置は、文字多重放送を受信した場合、コンテンツである楽曲データに加えて、コンテンツ情報として曲名及びそのコンテンツを受信した放送局に関する情報等を得ることができる。
ウ．上記（４）によれば、ユーザが表示部2に表示されているメニュー画面（図2）の「再生リスト」を選択し指定した際に表示される画面（図12(a)）において「放送局別再生リスト」を選択し指定した場合、図12(b)のように曲名と放送局名とが放送局毎にグループ化して表示される。
エ．上記（５）によれば、上記ウで説示したように表示させることによって、ユーザの使い勝手が向上する。
　したがって、上記（１）ないし（５）の記載事項及び図面並びに上記アないしエを総合勘案すると、引用文献２には、次の発明（以下、「引用発明２」という。）が記載されている。 
「放送受信装置において、ユーザに楽曲を選択させるために曲名を表示部に一覧表示する際に、曲名と受信した放送局名とを放送局毎にグループ化して表示すること。」
第４　対比
　本願発明と引用発明１とを対比する。
１．引用発明１おける「楽曲」は、音楽番組の放送内容であるから、本願発明における「オーディオコンテンツ」に相当する。
２．引用発明１における「楽曲名及び音楽配信に関する情報」は、楽曲についての付加的なデータであるから、本願発明における「メタデータ」に相当する。特に、上記「楽曲名」は楽曲を「説明するメタデータ」に相当する。
　さらに、引用発明１における上記楽曲名及び上記音楽配信に関する情報は、図５に示されるように、チューナー１０の表示・操作部３２に表示されているから、「表示可能な」ものでもある。
３．引用発明１における「表示・操作部３２」は、本願発明における「表示デバイス」に相当する。
４．引用発明１における「前記受信した複数の楽曲のうち以前にユーザーに出力された楽曲の楽曲名の一覧を表示するとともに、カーソルを移動させることが可能なディスプレイ」は、チューナー１０の表示・操作部３２に表示されることによって、ユーザーが楽曲の配信情報を確認したり、その確認後に購入希望の楽曲の選択の操作を行うためのものであるから、「ユーザーインターフェース」であるということができる。また、上記ディスプレイは、カーソルを移動させることが可能な点や、表示デバイスに単一の画面すなわち一つの領域として表示される点で、本願発明の「ユーザーインターフェース」と共通している。
５．引用発明１における音楽データ配信元ダウンロードサーバ６に対する接続や、特定の楽曲の音楽データのダウンロードは、インターネットを介して行われるから、引用発明１においても本願発明と同様に「ネットワーク接続を経由して」処理を行っている。
６．上記「第３　引用発明」の「１．ク」において説示したように、引用発明１における「前記特定の楽曲の音楽データ配信元ダウンロードサーバ６のURLに対して接続するとともに、前記特定の楽曲の音楽データのダウンロードを要求するためのダウンロード情報の送信を行う」という処理の後に、音楽データのダウンロード及び課金処理が行われるから、引用発明１における上記処理は、楽曲を「購入するための処理を開始する」ために行うものである。
　そうすると、本願発明と引用発明１とは、
「複数の放送チャンネルを経由して受信した複数のオーディオコンテンツをユーザーに出力し、該ユーザーに出力された複数のオーディオコンテンツに関連する表示可能なメタデータを記憶するステップと、
　前記受信した複数のオーディオコンテンツのうち以前にユーザーに出力されたオーディオコンテンツを説明するメタデータを表示するユーザーインターフェースを、カーソルを移動させることが可能な１つの領域の中で、表示デバイスにより表示するステップと、
　特定の前記オーディオコンテンツを説明するメタデータを、前記１つの領域の中で前記カーソルを用いて選択し、ネットワーク接続を経由して前記特定のオーディオコンテンツを購入するための処理を開始するステップと
　を有する処理方法。」
である点で一致し、次の点で相違する。
［相違点１］
　ユーザーインターフェースが、本願発明においては、受信した複数のオーディオコンテンツのうち以前にユーザーに出力されたオーディオコンテンツを説明するメタデータと該オーディオコンテンツが送信された放送チャンネルとをともに表示するものであって、かつ、放送チャンネル毎にグループ化して表示するものであるのに対して、引用発明１においては、前記受信した複数のオーディオコンテンツのうち以前にユーザーに出力されたオーディオコンテンツを説明するメタデータを表示するものであるが、該オーディオコンテンツが送信された放送チャンネルは表示しておらず、かつ、放送局毎にグループ化して表示していない点。
［相違点２］
　本願発明は「モバイルメディアデバイス」が実行する処理方法であるのに対して、引用発明１は「チューナー及び通信機能付きHDDレコーダーを備えたシステムコンポ」が実行する処理方法である点。
第５　判断
１．相違点について
　相違点１について検討すると、引用発明１と引用発明２は、文字多重放送を受信する装置に関連する技術である点で技術分野が共通する。また、引用発明１も引用発明２も、ユーザーに負担がかからないようにするという点で解決しようとする課題も共通する。したがって、引用発明１において、ユーザーインターフェースの使い勝手を向上させるために、引用発明２のように、曲名と受信した放送局名とを放送局毎にグループ化して表示するようにすることは、当業者が容易に想到し得ることである。 
　次に相違点２について検討すると、一般的に言って、システムコンポは室内等に据え置いて使用するものであるが、上記「第３　引用発明」の「１．コ」で説示したように、引用文献１にはシステムコンポに限定されるものではない旨の記載があり、かつ、文字多重放送を受信可能なチューナー、通信機能、並びに記録媒体を備えたデバイスとして、ポータブル音楽プレーヤーやカーオーディオ装置といったモバイルメディアデバイスは、例えば、引用文献２（［0002］−［0008］、［0060］−［0069］）、及び、当審の拒絶理由において周知技術を示す文献として引用された特開２００４−１９３７２６号公報（【００３０】−【００３７】）に記載されているように周知であるから、引用発明１において、システムコンポに代えてモバイルメディアデバイスが実行するようにすることは、当業者にとって格別の技術的困難性を伴うことではない。 
　そして、本願発明の効果も、引用発明１及び引用発明２並びに周知技術の効果に基づいて当業者が予測し得る範囲内のものであって、格別のものとはいえない。
２．審判請求人の主張について
　審判請求人は、平成２８年１１月２５日付け意見書において、
「引用文献２では、オーディオコンテンツ自体を記録しているので、そのオーディオコンテンツのメタデータを使って、オーディオコンテンツを購入する必要はありません。「ユーザーに出力された複数のオーディオコンテンツに関連する表示可能なメタデータを記憶」し、別途、オーディオコンテンツを購入するようなことは、引用文献２において想定されていません。」
と主張している。
　しかしながら、引用発明２は、ユーザーが楽曲を選択する際の使い勝手を向上させるための発明であり、楽曲の選択がなされる前後の処理の内容によって、引用発明２の内容や効果が変わるものではないから、引用文献２において審判請求人が主張するような想定がなされていないからといって、引用発明２を引用発明１と組み合わることができないとはいえない。
　したがって、審判請求人の上記主張を採用することはできない。
第６　むすび 
　以上のとおり、本願の請求項１に係る発明は、引用文献１及び２に記載された発明並びに周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。